(57)【要約】【課題】複数の屋内空間を空調対象とする空調システムにおいて屋内空間の空調を好適に実施することができる建物の空調システムを提供する。【解決手段】住宅１０の一階部分には、ＬＤＫ１３、和室１４、リビング１５、洗面室１６及び玄関ホール１９が設けられている。一階部分には、第１機械室５１に第１空調装置５４が設けられ、第２機械室５２に第２空調装置５５が設けられている。第１空調装置５４は、第１機械室５１内の空気を取り込んで空調空気を生成し、その空調空気をＬＤＫ１３及び玄関ホール１９に供給する。第２空調装置５５は、第２機械室５２内の空気を取り込んで空調空気を生成し、その空調空気を和室１４、リビング１５、洗面室１６及び玄関ホール１９に供給する。第１機械室５１及び第２機械室５２は玄関ホール１９に隣接しており、それら各機械室５１，５２には玄関ホール１９の空気が流れ込むようになっている。【選択図】図２
2014190666.tif 000002
【特許請求の範囲】
【請求項１】
空調装置として第１空調装置と第２空調装置とを備え、それら各空調装置によって空調対象となる複数の屋内空間の空調を行う建物の空調システムにおいて、
前記第１空調装置は、第１機械室に設置され、その第１機械室内の空気を取り込んで空調空気を生成するとともに、その生成した空調空気を前記複数の屋内空間のうちの一部である複数の第１空間部へ供給するものであり、
それら複数の第１空間部へ供給された空調空気は第１還流経路を通じて前記第１機械室へと還流する構成となっており、
前記第２空調装置は、第２機械室に設置され、その第２機械室内の空気を取り込んで空調空気を生成するとともに、その生成した空調空気を前記複数の屋内空間のうちの一部であってかつ前記第１空間部と同一の又は異なる屋内空間からなる複数の第２空間部へ供給するものであり、
それら複数の第２空間部へ供給された空調空気は第２還流経路を通じて前記第２機械室へと還流する構成となっており、
前記第１機械室は、前記第２空間部に隣接して設けられており、
前記第１機械室と当該第２空間部とを連通しかつ前記第１還流経路の一部を構成する第１通気部が設けられていることを特徴とする建物の空調システム。
【請求項２】
前記第２機械室は、前記第１空間部に隣接して設けられており、
前記第２機械室と当該第１空間部とを連通しかつ前記第２還流経路の一部を構成する第２通気部が設けられていることを特徴とする請求項１に記載の建物の空調システム。
【請求項３】
前記複数の第２空間部のうち少なくともいずれかは前記第１空間部と同じ屋内空間からなる第３空間部であり、
前記第１機械室と前記第２機械室とはいずれも前記第３空間部に隣接して設けられており、
前記第１通気部は、前記第１機械室と、それに隣接する前記第３空間部とを連通しており、
前記第２通気部は、前記第２機械室と、それに隣接する前記第３空間部とを連通していることを特徴とする請求項２に記載の建物の空調システム。
【請求項４】
前記第１機械室と前記第２機械室とはいずれも同一の前記第３空間部に隣接して設けられていることを特徴とする請求項３に記載の建物の空調システム。
【請求項５】
前記第３空間部は、非居室空間であることを特徴とする請求項３又は４に記載の建物の空調システム。
【請求項６】
前記第３空間部は、前記非居室空間としての水廻り空間であることを特徴とする請求項５に記載の建物の空調システム。
【請求項７】
前記複数の第２空間部のうち前記第１空間部とは異なる屋内空間からなる同一の前記第２空間部に対して前記第１機械室と前記第２機械室とがそれぞれ隣接して設けられており、
前記第１通気部は、前記第１機械室と当該第２空間部とを連通しており、
前記第２機械室と当該第２空間部とを連通しかつ前記第２還流経路の一部を構成する第３通気部が設けられていることを特徴とする請求項１に記載の建物の空調システム。
【請求項８】
前記複数の屋内空間には、居室空間としての和室と、水廻り空間としての洗面室、浴室及びトイレのうちの少なくともいずれかと、が含まれており、
それら和室と水廻り空間とはいずれも前記第１空間部に設定されているか、又は、いずれも前記第２空間部に設定されていることを特徴とする請求項１乃至７のいずれか一項に記載の建物の空調システム。
【発明の詳細な説明】
【技術分野】
【０００１】
本発明は、建物の空調システムに関する。
【背景技術】
【０００２】
住宅等の建物において、共通の空調装置を用いて全館空調を行う全館空調システムが知られている（例えば、特許文献１参照）。この種の空調システムは、建物の各階ごとにそれぞれ導入されることが多い。全館空調システムでは、機械室に設置された空調装置が、その機械室内の空気を取り込んで空調空気（すなわち冷気又は暖気）を生成するとともに、その空調空気を空調対象となる複数の部屋へ供給することによりそれら各部屋の冷暖房を行う。また、各部屋に供給された空調空気は機械室に還気として戻り、空調装置はその還気を取り込んで空調空気を生成する。
【先行技術文献】
【特許文献】
【０００３】
【特許文献１】特開平１０−２６７３２０号公報
【発明の概要】
【発明が解決しようとする課題】
【０００４】
ところで、近年、二世帯住宅の需要増加等に伴い住宅の床面積の増加が住宅のニーズとしてある。その一方で、一の空調装置により冷暖房することが可能な床面積には上限がある。そこで、全館空調システムを複数の空調装置を備えて構成し、それら複数の空調装置により床面積の大きい住宅の空調を行うことが考えられる。この場合、各空調装置ごとにそれぞれ空調対象の部屋を割り当てて、その割り当てた部屋の空調を各空調装置がそれぞれ個別に行うことが考えられる。
【０００５】
しかしながら、各空調装置がただ空調対象として割り当てられた部屋を空調するだけのものでは、複数の空調装置を上手く使って省エネを図る等、好適な空調を実施することが難しいと考えられる。
【０００６】
本発明は、上記事情に鑑みてなされたものであり、複数の屋内空間を空調対象とする空調システムにおいて屋内空間の空調を好適に実施することができる建物の空調システムを提供することを主たる目的とするものである。
【課題を解決するための手段】
【０００７】
上記課題を解決すべく、第１の発明の建物の空調システムは、空調装置として第１空調装置と第２空調装置とを備え、それら各空調装置によって空調対象となる複数の屋内空間の空調を行う建物の空調システムにおいて、前記第１空調装置は、第１機械室に設置され、その第１機械室内の空気を取り込んで空調空気を生成するとともに、その生成した空調空気を前記複数の屋内空間のうちの一部である複数の第１空間部へ供給するものであり、それら複数の第１空間部へ供給された空調空気は第１還流経路を通じて前記第１機械室へと還流する構成となっており、前記第２空調装置は、第２機械室に設置され、その第２機械室内の空気を取り込んで空調空気を生成するとともに、その生成した空調空気を前記複数の屋内空間のうちの一部であってかつ前記第１空間部と同一の又は異なる屋内空間からなる複数の第２空間部へ供給するものであり、それら複数の第２空間部へ供給された空調空気は第２還流経路を通じて前記第２機械室へと還流する構成となっており、前記第１機械室は、前記第２空間部に隣接して設けられており、前記第１機械室と当該第２空間部とを連通しかつ前記第１還流経路の一部を構成する第１通気部が設けられていることを特徴とする。
【０００８】
本発明における空調システムでは、第１空調装置と第２空調装置とによって複数の屋内空間を空調対象とした空調（冷房又は暖房）が行われる。すなわち、第１空調装置により複数の第１空間部へ空調空気（冷房空気又は暖房空気）が供給され空調（冷房又は暖房）が行われるとともに、その供給された空調空気が第１還流経路を通じて第１機械室へと還流する。そして、第１空調装置は、その第１機械室内の空気を取り込んで新たに空調空気を生成する。また、これと同様に、第２空調装置によって複数の第２空間部へ空調空気（冷房空気又は暖房空気）が供給され空調（冷房又は暖房）が行われるとともに、その供給された空調空気が第２還流経路を通じて第２機械室へと還流する。そして、第２空調装置は、その第２機械室内の空気を取り込んで新たに空調空気を生成する。このように、本発明における空調システムは、２つの循環式の空調システムを備えて構成されたものとなっている。
【０００９】
このような空調システムにあって、本発明では、第１機械室が第２空間部に隣接して設けられており、それら第１機械室と第２空間部とを連通する第１通気部が設けられているため、第２空調装置が運転中であってかつ第１空調装置の運転が停止している状況下において、第１空調装置の運転が開始された場合には、第２空調装置により冷やされた（又は暖められた）第２空間部の空気が第１通気部を通じて第１機械室へ流れ込むことになる。これにより、第１空調装置は、その冷えた（又は暖められた）空気を取り込んで空調空気を生成することができるため、冷房運転時には冷えた空調空気（冷房空気）を効率よく生成することができ、暖房運転時には暖かい空調空気（暖房空気）を効率よく生成することができる。したがって、第１空間部を所望の温度まで冷やしたり暖めたりする時間（立ち上がり時間）を短縮化させることができるとともに、その立ち上がり時間の短縮に伴って省エネ性の向上を図ることもできる。よって、以上より、屋内空間の空調を好適に実施することができる。
【００１０】
第２の発明の建物の空調システムは、第１の発明において、前記第２機械室は、前記第１空間部に隣接して設けられており、前記第２機械室と当該第１空間部とを連通しかつ前記第２還流経路の一部を構成する第２通気部が設けられていることを特徴とする。
【００１１】
本発明によれば、上記第１の発明において、さらに、第２機械室が第１空間部に隣接して設けられ、それら第２機械室と第１空間部とを連通する第２通気部が設けられているため、第１空調装置が運転中であってかつ第２空調装置の運転が停止している状況下において、すなわち第１空調装置による第１空間部の空調（冷房又は暖房）が行われかつ第２空調装置による第２空間部の空調が行われていない状況下において、第２空調装置の運転が開始された場合には第１空調装置により冷やされた（又は暖められた）第１空間部の空気が第２通気部を通じて第２機械室へ流れ込むこととなる。これにより、第２空調装置は、その冷えた（又は暖められた）空気を取り込んで空調空気を生成することができるため、冷房運転時には冷房空気を効率よく生成することができ、暖房運転時には暖房空気を効率よく生成することができる。したがって、上記第１の発明と同様の効果を第２空調装置においても得ることができ、屋内空間の空調をより好適に実施することが可能となる。
【００１２】
第３の発明の建物の空調システムは、第２の発明において、前記複数の第２空間部のうち少なくともいずれかは前記第１空間部と同じ屋内空間からなる第３空間部であり、前記第１機械室と前記第２機械室とはいずれも前記第３空間部に隣接して設けられており、前記第１通気部は、前記第１機械室と、それに隣接する前記第３空間部とを連通しており、前記第２通気部は、前記第２機械室と、それに隣接する前記第３空間部とを連通していることを特徴とする。
【００１３】
空調対象である複数の屋内空間のうちの一部が第１空調装置及び第２空調装置の双方の空調対象である第３空間部とされているため、その第３空間部については各空調装置のうちのいずれかが運転していれば空調（冷暖房）されることになる。ここで、親世帯と子世帯とが共同で居住する二世帯住宅では、玄関や洗面室等一部の空間が親世帯と子世帯とが共同で利用する共用スペースとなっている場合が多い。そのため、二世帯住宅において、例えば子世帯が第１空調装置を利用し親世帯が第２空調装置を利用する場合には、共用スペースを第３空間部に設定すれば、子世帯と親世帯とのうちいずれかが空調装置を利用すれば共用スペースが空調されることとなるため好都合である。
【００１４】
また、第１機械室と第２機械室とがいずれも第３空間部に隣接し、これら第１機械室及び第２機械室にはそれぞれ第１通気部、第２通気部を通じて第３空間部の空気が流れ込むようになっているため、上述した効果を得ながら、第２の発明の効果を得ることができる。
【００１５】
第４の発明の建物の空調システムは、第３の発明において、前記第１機械室と前記第２機械室とはいずれも同一の前記第３空間部に隣接して設けられていることを特徴とする。
【００１６】
本発明によれば、同一の第３空間部に第１機械室と第２機械室とがそれぞれ隣接して設けられているため、それら各機械室を集約して配置することができる。これにより、２つの空調装置を近接させて配置することができるため、各空調装置をメンテナンス等する際の作業性の向上を図りながら、上記第１乃至第３の発明の効果を得ることができる。
【００１７】
第５の発明の建物の空調システムは、第３又は第４の発明において、前記第３空間部は、非居室空間であることを特徴とする。
【００１８】
二世帯住宅では、玄関や廊下、洗面室等の非居室空間が子世帯と親世帯との共用スペースとなっている場合が多い。そこで本発明では、この点に鑑みて、非居室空間を第３空間部に設定している。この場合、例えば子世帯が第１空調装置を利用し親世帯が第２空調装置を利用する場合において、子世帯と親世帯とのいずれかが空調装置を利用すれば非居室空間が空調されることとなるため好都合である。
【００１９】
第６の発明の建物の空調システムは、第５の発明において、前記第３空間部は、前記非居室空間としての水廻り空間であることを特徴とする。
【００２０】
洗面室や浴室、トイレ等の水廻り空間はヒートショックの生じ易い空間であると考えられる。この点本発明によれば、水廻り空間が第３空間部として設定しているため、各空調装置のうちいずれかが運転していれば水廻り空間が空調される。これにより、水廻り空間においてヒートショックの発生を抑制することができる。
【００２１】
第７の発明の建物の空調システムは、第１の発明において、前記複数の第２空間部のうち前記第１空間部とは異なる屋内空間からなる同一の前記第２空間部に対して前記第１機械室と前記第２機械室とがそれぞれ隣接して設けられており、前記第１通気部は、前記第１機械室と当該第２空間部とを連通しており、前記第２機械室と当該第２空間部とを連通しかつ前記第２還流経路の一部を構成する第３通気部が設けられていることを特徴とする。
【００２２】
本発明によれば、複数の第２空間部のうち第１空間部とは異なる屋内空間よりなる同一の第２空間部に対して第１機械室と第２機械室が隣接して設けられているため、それら各機械室を集約して配置することができる。これにより、２つの空調装置を近接させて配置することができるため、それらの空調装置をメンテナンス等する際の作業性向上を図ることができる。
【００２３】
また、上記同一の第２空間部は第１還流経路の途中に位置しており、さらに当該第２空間部と第２機械室とを連通する第３通気部が設けられているため、第１空調装置が運転中であってかつ第２空調装置の運転が停止している状況下において、第２空調装置の運転が開始された場合には第１空調装置により各第１空間部へ空調空気として供給されその後第１機械室へ向けて還気として還流する空気が第３通気部を通じて第２機械室へ流れ込むこととなる。この空気（還気）は、冷房時においては空調空気（冷房空気）と比べ高温ではあるものの第１還流経路上にない屋内空間の空気と比べれば低温であると考えられ、暖房時においては空調空気（暖房空気）と比べ低温ではあるものの第１還流経路上にない屋内空間の空気と比べれば高温であると考えられる。そのため、第２空調装置は、かかる空気を取り込み空調空気を生成することで、冷房運転時には冷房空気を比較的効率よく生成することができ、暖房運転時には暖房空気を比較的効率よく生成することができる。これにより、第２空間部を比較的速やかに所望の温度まで冷やしたり暖めたりすることが可能となる。
【００２４】
第８の発明の建物の空調システムは、第１乃至第７のいずれかの発明において、前記複数の屋内空間には、居室空間としての和室と、水廻り空間としての洗面室、浴室及びトイレのうちの少なくともいずれかと、が含まれており、それら和室と水廻り空間とはいずれも前記第１空間部に設定されているか、又は、いずれも前記第２空間部に設定されていることを特徴とする。
【００２５】
親世帯と子世帯とが共同で居住する二世帯住宅では、親世帯が和室を居室空間として利用する場合が多い。また、親世帯が高齢である場合には、親世帯が洗面室等の水廻り空間を利用する際ヒートショックの発生が懸念される。そこで本発明では、この点に鑑みて、和室と水廻り空間とを共に第１空間部に、又は、共に第２空間部に設定している。つまり、和室と水廻り空間とを共通の空調装置による空調対象として設定している。これにより、当該空調装置を親世帯用の空調装置として使用すれば、親世帯にとって好適な空調が実現できる。
【図面の簡単な説明】
【００２６】
【図１】住宅の一階部分の間取りを示す平面図。
【図２】一階部分の全館空調システムの構成を示す平面図。
【図３】一階部分における空調空気の流れを示す平面図。
【図４】他の実施形態における一階部分の全館空調システムの構成を示す平面図。
【図５】他の実施形態における一階部分の空調空気の流れを示す平面図。
【図６】他の実施形態における全館空調システムを説明するための説明図。
【発明を実施するための形態】
【００２７】
以下に、本発明を具体化した一実施の形態について図面を参照しつつ説明する。本実施形態では、住宅として、親世帯と子世帯とが共同で利用する二世帯住宅を想定している。住宅は、一階部分と二階部分とを有する二階建ての建物からなり、図１には住宅の一階部分の間取りを示している。
【００２８】
図１に示すように、住宅１０の一階部分には、屋内スペースとして、玄関１１と、廊下１２と、ＬＤＫ１３と、リビング１５と、和室１４と、洗面室１６と、浴室１７と、トイレ１８とが設けられている。これら屋内スペースのうち、ＬＤＫ１３は子世帯が利用する子世帯スペースＳＡとなっており、リビング１５と和室１４とは親世帯が利用する親世帯スペースＳＢとなっている。そして、残りの屋内スペース、すなわち玄関１１、廊下１２、洗面室１６、浴室１７及びトイレ１８は子世帯と親世帯とが共同で利用する共用スペースＳＣとなっている。
【００２９】
玄関１１と廊下１２とは連続して設けられており、玄関１１と廊下１２との連続空間が玄関ホール１９となっている。玄関ホール１９、洗面室１６、浴室１７及びトイレ１８がそれぞれ非居室空間に相当し、ＬＤＫ１３、リビング１５及び和室１４がそれぞれ居室空間に相当する。また、非居室空間１６〜１９のうち洗面室１６、浴室１７及びトイレ１８がそれぞれ水廻り空間に相当する。なお、各非居室空間１６〜１９、各居室空間１３〜１５はそれぞれ仕切壁によって四方を囲まれた屋内空間となっている。
【００３０】
玄関ホール１９は、子世帯スペースＳＡと親世帯スペースＳＢとの間に配置されており、一階部分において略中央に位置している。玄関ホール１９において廊下１２には、二階部分へ通じる階段２１が設けられている。
【００３１】
ＬＤＫ１３は、廊下１２と仕切壁２３を挟んで隣接しており、その仕切壁２３には廊下１２とＬＤＫ１３との間を行き来するための出入口２４が設けられている。出入口２４には、回動式のドア２５が設けられている。また、仕切壁２３には、廊下１２とＬＤＫ１３とを連通する通気部２６が設けられている。通気部２６は、例えばドア２５のアンダーカットやガラリ等により構成されている。
【００３２】
和室１４は、廊下１２を挟んでＬＤＫ１３とは反対側に設けられている。和室１４は、廊下１２と仕切壁２８を挟んで隣接しており、その仕切壁２８には廊下１２と和室１４との間を行き来するための出入口２９が設けられている。出入口２９には、引き戸３１が設けられている。また、仕切壁２８には、廊下１２と和室１４とを連通する通気部３２が設けられている。通気部３２は、例えば引き戸３１のガラリ等により構成されている。
【００３３】
リビング１５は、和室１４と仕切壁３４を挟んで隣接しており、その仕切壁３４にはリビング１５と和室１４との間を行き来するための出入口３５が設けられている。出入口３５は、和室１４を挟んで出入口２９と対向する位置に配置されている。出入口３５には、引き戸３６が設けられている。また、仕切壁３４には、和室１４とリビング１５とを連通する通気部３７が設けられている。通気部３７は、例えば引き戸３６のガラリ等により構成されている。
【００３４】
洗面室１６は、廊下１２と仕切壁３８を挟んで隣接しており、その仕切壁３８には廊下１２と洗面室１６との間を行き来するための出入口３９が設けられている。出入口３９には、回動式のドア４１が設けられている。また、仕切壁３８には、廊下１２と洗面室１６とを連通する通気部４２が設けられている。通気部４２は、例えばドア４１のアンダーカットやガラリ等により構成されている。
【００３５】
浴室１７は、洗面室１６に隣接しており、洗面室１６から浴室１７へ出入りするための出入口４４にはドア４５が設けられている。このドア４５のアンダーカット等によって洗面室１６と浴室１７とを連通する通気部４６が形成されている。また、浴室１７には、当該浴室１７の空気を屋外に排出するための換気装置６７が設けられている。
【００３６】
トイレ１８は、廊下１２の突き当たりに位置しており、廊下１２からトイレ１８へ出入りするための出入口４７にはドア４８が設けられている。このドア４８のアンダーカット等によって廊下１２とトイレ１８とを連通する通気部４９が形成されている。また、トイレ１８には、当該トイレ１８の空気を屋外に排出するための換気装置６８が設けられている。
【００３７】
住宅１０の一階部分には、上記の屋内スペース１１〜１８の他に、第１機械室５１と第２機械室５２とが設けられている。第１機械室５１は、第１空調装置５４が設置される設置スペースとなっており、第２機械室５２は、第２空調装置５５が設置される設置スペースとなっている。第１機械室５１と第２機械室５２とはいずれも廊下１２（玄関ホール１９）に隣接して設けられており、これら各機械室５１，５２同士は仕切壁５７ａを挟んで互いに隣接している。また、第１機械室５１と第２機械室５２とはそれぞれその仕切壁５７ａを含む四方の仕切壁と、床部と、天井部とにより囲まれた空間となっている。
【００３８】
第１機械室５１と廊下１２とを仕切る仕切壁５７ｂには、第１空調装置５４をメンテナンスする際に用いられるメンテナンス用の開口部５８が設けられている。また、第２機械室５２と廊下１２とを仕切る仕切壁５７ｃには、第２空調装置５５をメンテナンスする際に用いられるメンテナンス用の開口部５９が設けられている。これらの開口部５８，５９はいずれも同じ側を向いて開口しており、廊下１２から各空調装置５４，５５へのアクセスを同じ側から行うことが可能となっている。
【００３９】
各開口部５８，５９にはそれぞれ各々の開口部５８，５９を開閉するメンテナンス用の扉６１，６２が設けられている。また、仕切壁５７ｂには、第１機械室５１と廊下１２とを連通する通気部６３が設けられ、仕切壁５７ｃには、第２機械室５２と廊下１２とを連通する通気部６４が設けられている。これらの通気部６３，６４は、扉６１，６２のアンダーカットやガラリ等により構成されている。なお、ここで、通気部６３が第１通気部に相当し、通気部６４が第２通気部に相当する。
【００４０】
ところで、本実施形態の住宅１０には、一階部分及び二階部分にそれぞれ全館空調システムが導入されている。以下においては、一階部分の全館空調システムについて図２に基づいて説明する。図２は一階部分の全館空調システムの構成を示す平面図である。
【００４１】
図２に示すように、一階部分の全館空調システムは、第１空調装置５４及び第２空調装置５５を有して構成されており、これら２つの空調装置５４，５５より一階部分における複数の屋内空間に空調空気（冷房空気又は暖房空気）を供給することで、それら複数の屋内空間の冷房及び暖房を行うものとなっている。全館空調システムは、大きく分けて第１空調装置５４を有して構成される第１空調システムと、第２空調装置５５を有して構成される第２空調システムとからなる。第１空調システムは、子世帯を対象とした空調システムとなっており、その空調対象として子世帯スペースＳＡとしてのＬＤＫ１３と、共同スペースＳＣとしての玄関ホール１９とが設定されている。一方、第２空調システムは、親世帯を対象とした空調システムとなっており、その空調対象として親世帯スペースＳＢとしての和室１４及びリビング１５と、共同スペースＳＣとしての玄関ホール１９とが設定されている。つまり、本空調システムでは、玄関ホール１９が第１空調システム及び第２空調システム双方の空調対象となっている。
【００４２】
なお、この場合、ＬＤＫ１３と玄関ホール１９とがそれぞれ第１空間部に相当し、和室１４とリビング１５と玄関ホール１９とがそれぞれ第２空間部に相当し、玄関ホール１９が第３空間部に相当する。
【００４３】
また、図２では、第１空調システムによる空調対象エリアＥ１（ＬＤＫ１３及び玄関ホール１９）を一点鎖線で囲んで示しており、第２空調システムによる空調対象エリアＥ２（和室１４及びリビング１５、玄関ホール１９）を二点鎖線で囲んで示している。
【００４４】
図示は省略するが、一階部分には、第１空調システム（詳しくは第１空調装置５４）の運転をオン／オフ操作するための第１操作装置と、第２空調システム（詳しくは第２空調装置５５）の運転をオン／オフ操作するための第２操作装置とが設けられている。これらの操作装置はそれぞれオン／オフ操作の他に、暖房運転と冷房運転との切替操作や、空調温度（暖房温度及び冷房温度）の設定操作をすることが可能となっている。なお、これら各操作装置は、別体として構成されていてもよいし一体として構成されていてもよい。また、操作装置は、例えば玄関ホール１９の壁面に設けられている。
【００４５】
続いて、第１空調システム及び第２空調システムの構成について詳しく説明する。まず第１空調システムの構成について説明する。
【００４６】
第１空調システムにおいて、第１空調装置５４は冷房機能及び暖房機能を有する室内機として構成されている。第１空調装置５４は、第１機械室５１内の空気を取り込む取込部（図示略）を有しており、その取込部より取り込んだ空気を温度調整することで空調空気（冷房空気又は暖房空気）を生成する。
【００４７】
第１空調装置５４には、複数の通気ダクト７１が接続されている。これら複数の通気ダクト７１は、一階部分の床下空間に設けられ、空調対象となるＬＤＫ１３及び玄関ホール１９へ向けてそれぞれ延びている。これら各通気ダクト７１はそれぞれＬＤＫ１３の床面及び玄関ホール１９（廊下１２）の床面に設けられた吹出グリル７２と接続されている。本実施形態では、ＬＤＫ１３に複数（具体的には４つ）の吹出グリル７２ａ〜７２ｄが設けられ、玄関ホール１９には吹出グリル７２ｅが１つだけ設けられている。
【００４８】
第１空調装置５４により生成された空調空気（冷房空気又は暖房空気）は各通気ダクト７１ａ〜７１ｅを通じて各々の吹出グリル７２ａ〜７２ｅへ供給され、吹出グリル７２ａ〜７２ｄよりＬＤＫ１３に給気ＳＡとして吹き出される（供給される）とともに、吹出グリル７２ｅより玄関ホール１９に給気ＳＡとして吹き出される。これにより、それらの給気ＳＡによってＬＤＫ１３及び玄関ホール１９の冷房又は暖房が行われる。
【００４９】
なお、通気ダクト７１の設置場所は床下空間に限らず、天井裏空間（屋根裏空間）であってもよい。通気ダクト７１を天井裏空間に設置する場合には、それに伴い吹出グリル７２がＬＤＫ１３及び玄関ホール１９の天井面に設けられる。また、ＬＤＫ１３及び玄関ホール１９に設けられる吹出グリル７２の数や位置は適宜変更してよい。
【００５０】
また、図２では、便宜上、通気ダクト７１の一部をその途中で分岐させて示したが、各通気ダクト７１はいずれも第１空調装置５４から各吹出グリル７２まで連続して延びている。但し、通気ダクト７１を、その途中で分岐させそれら分岐させた各分岐ダクトをそれぞれ各吹出グリル７２に接続するようにしてもよい。なお、この点については後述する第２空調システムの通気ダクト７５についても同様である。
【００５１】
ここで本空調システムでは、第１空調システムとして循環式の空調システムが採用されており（後述する第２空調システムも同様）、ＬＤＫ１３及び玄関ホール１９へ供給された空調空気が第１機械室５１へ還気ＲＡとして還流する（戻る）ようになっている。以下、かかる空調空気の流れについて図３に基づいて説明する。図３は、一階部分における空調空気の流れを示す平面図である。また、図３では、第１空調システムにおける空気の流れを実線で示しており、後述する第２空調システムにおける空気の流れを破線で示している。
【００５２】
図３に示すように、各吹出グリル７２ａ〜７２ｄよりＬＤＫ１３に供給された空調空気は、通気部２６を通じて玄関ホール１９へと流れ込み、その後吹出グリル７２ｅより玄関ホール１９へ供給された空調空気とともに、通気部６３を通じて第１機械室５１へ流れ込む。そして、第１空調装置５４は、その第１機械室５１へ流れ込んだ空気を還気ＲＡとして取り込み空調空気を生成する。このように、第１空調システムは、屋内の空気を循環させながら空調を行うものとなっている。なお、この場合、通気部２６や通気部６３等によって第１還流経路が構成されている。
【００５３】
続いて、第２空調システムの構成について説明する。
【００５４】
図２に示すように、第２空調装置５５は冷房機能及び暖房機能を有する室内機として構成されており、例えば第１空調装置５４と同じ構成の室内機からなる。第２空調装置５５は、第２機械室５２内の空気を取り込む取込部（図示略）を有しており、その取込部より取り込んだ空気を温度調整することで空調空気（冷房空気又は暖房空気）を生成する。
【００５５】
第２空調装置５５には、複数の通気ダクト７５が接続されている。これら複数の通気ダクト７５は、上記通気ダクト７１と同様、一階部分の床下空間に設けられ、空調対象となる和室１４及びリビング１５、洗面室１６、玄関ホール１９へ向けてそれぞれ延びている。これら各通気ダクト７５はそれぞれ和室１４の床面、リビング１５の床面、洗面室１６の床面、玄関ホール１９（廊下１２）の床面に設けられた吹出グリル７６と接続されている。本実施形態では、和室１４に吹出グリル７６ａが１つだけ設けられ、リビング１５に複数（具体的には３つ）の吹出グリル７６ｂ〜７６ｄが設けられ、洗面室１６に吹出グリル７６ｅが１つだけ設けられ、玄関ホール１９に複数（具体的には２つ）の吹出グリル７６ｆ，７６ｇが設けられている。
【００５６】
第２空調装置５５により生成された空調空気（冷房空気又は暖房空気）は各通気ダクト７５ａ〜７５ｇを通じて各々の吹出グリル７６ａ〜７６ｇへと供給され、吹出グリル７６ａより和室１４に給気ＳＡとして吹き出され（供給され）、吹出グリル７６ｂ〜７６ｄよりリビング１５に給気ＳＡとして吹き出され、吹出グリル７６ｅより洗面室１６に給気ＳＡとして吹き出され、吹出グリル７６ｆ，７６ｇより玄関ホール１９に給気ＳＡとして吹き出される。これにより、それらの給気ＳＡによって和室１４及びリビング１５、洗面室１６、玄関ホール１９の冷房又は暖房が行われる。
【００５７】
なお、通気ダクト７５の設置場所は床下空間に限らず、天井裏空間（屋根裏空間）であってもよい。通気ダクト７５を天井裏空間に設置する場合には、それに伴い吹出グリル７６が和室１４及びリビング１５、洗面室１６、玄関ホール１９の天井面に設けられる。また、和室１４及びリビング１５、洗面室１６、玄関ホール１９に設けられる吹出グリル７６の数や位置は適宜変更してよい。
【００５８】
また、浴室１７において換気装置６７が作動している場合には、浴室１７の空気が屋外へと排出されるため、それに伴い洗面室１６の空調空気が通気部４６を通じて浴室１７へ引き込まれ、その引き込まれた空調空気により浴室１７が冷やされたり暖められたりする。また、これと同様に、トイレ１８において換気装置６８が作動している場合には、トイレ１８の空気が屋外へと排出されるため、それに伴い玄関ホール１９の空調空気が通気部４９を通じてトイレ１８へ引き込まれ、その引き込まれた空調空気によりトイレ１８が冷やされたり暖められたりする。
【００５９】
図３に示すように、各吹出グリル７６ｂ〜７６ｄよりリビング１５に供給された空調空気は、通気部３７を通じて和室１４へと流れ込み、吹出グリル７６ａより和室１４へと供給された空調空気とともに、その後通気部３２を通じて玄関ホール１９へと流れ込む。一方、吹出グリル７６ｅより洗面室１６に供給された空調空気は、通気部４２を通じて玄関ホール１９へと流れ込む。そして、それら玄関ホール１９に流れ込んだ空調空気は、各吹出グリル７６ｅ，７６ｆより玄関ホール１９に吹き出された空調空気とともに、通気部６４を通じて第２機械室５２へ流れ込む。そして、第２空調装置５５は、その第２機械室５２へ流れ込んだ空気を還気ＲＡとして取り込み空調空気を生成する。このように、第２空調システムにおいても、第１空調システムと同様、空気を循環させながら空調が行われるようになっている。なお、この場合、各通気部３２，３７，４２，６４等によって第２還流経路が構成されている。
【００６０】
ここで、本空調システムでは、上述したように、各空調装置５４，５５それぞれの空調対象である玄関ホール１９に第１機械室５１と第２機械室５２とを隣接させて配置し、これら各機械室５１，５２へ玄関ホール１９の空気が通気部６３，６４を通じて流れ込むようにした。この点が本実施形態の特徴的な構成であり、以下かかる特徴的構成によって奏する本空調システムの作用について説明する。
【００６１】
本空調システムにおける上記特徴的構成によれば、各空調装置５４，５５のうちいずれかが運転中であれば、その運転中の空調装置５４（５５）より空調空気が玄関ホール１９に供給され玄関ホール１９が空調（冷房又は暖房）される。そのため、第２空調装置５５が運転中であってかつ第１空調装置５４の運転が停止している状況下において、第１空調装置５４の運転が開始された場合には、第２空調装置５５により冷やされた（又は暖められた）玄関ホール１９の空気が通気部６３を通じて第１機械室５１に取り込まれることになる。この場合、第１空調装置５４は、その冷えた（又は暖められた）空気を取り込んで空調空気を生成することができるため、冷房運転時には冷えた空調空気（冷房空気）を効率よく生成することができ、暖房運転時には暖かい空調空気（暖房空気）を効率よく生成することができる。これにより、ＬＤＫ１３（及び玄関ホール１９）を所望の温度まで冷やしたり暖めたりする（立ち上がり）時間を短縮化させることができるとともに、その立ち上がり時間の短縮に伴って省エネ性の向上を図ることもできる。
【００６２】
また、上記の場合とは逆に、第１空調装置５４が運転中であってかつ第２空調装置５５の運転が停止している状況下において、第２空調装置５５の運転が開始された場合には、第１空調装置５４により冷やされた（又は暖められた）玄関ホール１９の空気が通気部６４を通じて第２機械室５２に取り込まれることになる。この場合、第２空調装置５５は、その冷えた（又は暖められた）空気を取り込んで空調空気を生成することができるため、冷房運転時には冷房空気を効率よく生成することができ、暖房運転時には暖房空気を効率よく生成することができる。これにより、和室１４、リビング１５、洗面室１６（及び玄関ホール１９）を所望の温度まで冷やしたり暖めたりする立ち上がり時間の短縮化を図ることができるとともに、その立ち上がり時間の短縮に伴って省エネ性の向上を図ることもできる。よって、以上より、本空調システムによれば、屋内空間の空調を好適に実施することが可能となる。
【００６３】
以上、詳述した本実施形態の構成によれば、以下の優れた効果が得られる。
【００６４】
二世帯住宅において各世帯の共用スペースＳＣとして利用される玄関ホール１９を、第１空調装置５４及び第２空調装置５５の双方より空調空気が供給される屋内空間（第３空間部）として設定した。この場合、各空調装置５４，５５のうちのいずれかが運転中であれば、すなわち子世帯及び親世帯のいずれかが空調装置５４，５５を利用していれば、玄関ホール１９に空調空気（冷房空気又は暖房空気）が供給され冷暖房が行われることになるため好都合である。
【００６５】
また、玄関ホール１９に対して第１機械室５１と第２機械室５２とをそれぞれ隣接させて配置したため、各機械室５１，５２を集約して配置することができる。これにより、第１空調装置５４と第２空調装置５５とを近接させて配置することができるため、それらの空調装置５４，５５をメンテナンス等する際の作業性向上を図りながら、上述の効果を得ることができる。
【００６６】
また、各空調装置５４，５５の機械室５１，５２をそれぞれ非居室空間としての玄関ホール１９に隣接させて配置するとともに、それら各機械室５１，５２をそれぞれ通気部６３，６４を介して玄関ホール１９と連通させたため、空調装置５４，５５の運転時に発生する騒音が通気部６３，６４を通じて機械室５１，５２の外に漏れたとても居室空間へ与える影響を少なくすることができる。これにより、居住空間にいる居住者に対して不快感を与えるのを抑制することができる。
【００６７】
本発明は上記実施形態に限らず、例えば次のように実施されてもよい。
【００６８】
（１）図４及び図５には、本空調システムの別形態を示す。図４は別形態における一階部分の全館空調システムの構成を示す平面図であり、図５は一階部分における空調空気の流れを示す平面図である。図４に示す空調システムでは、上記実施形態における空調システムとは異なり、玄関ホール１９が第１空調システム（第１空調装置５４）による空調対象とはなっておらず、玄関ホール１９が第２空調システム（第２空調装置５５）のみによって空調されるようになっている。つまり、第１空調システムによる空調対象エリアＥ１（図４において一点鎖線で囲まれたエリア）がＬＤＫ１３のみになっており、第２空調システムによる空調対象エリアＥ２（図４において二点鎖線で囲まれたエリア）が和室１４及びリビング１５、洗面室１６、玄関ホール１９となっている。つまり、この場合、ＬＤＫ１３が第１空間部に相当し、和室１４、リビング１５、洗面室１６及び玄関ホール１９が第２空間部に相当する。
【００６９】
具体的には、上記の実施形態では、吹出グリル７２ｅが通気ダクト７１ｅを介して第１空調装置５４と接続されていたのに対し、本例では吹出グリル８２（吹出グリル７２ｅに相当）が通気ダクト８１を介して第２空調装置５５と接続されている。これにより、玄関ホール１９に設けられたすべての吹出グリル７６ｆ，７６ｇ，８２が第２空調装置５５と接続され、玄関ホール１９には第２空調装置５５の空調空気のみが供給されるようになっている。
【００７０】
上記の構成において、第２空調装置５５が運転中であってかつ第１空調装置５４の運転が停止している状況下において、すなわち第２空調装置５５のみによって空調（冷房又は暖房）が行われている状況下において、第１空調装置５４の運転が開始された場合には、第２空調装置５５により冷やされた（又は暖められた）玄関ホール１９の空気が通気部６３を通じて第１機械室５１へ流れ込むこととなるため、第１空調装置５４はその冷えた（又は暖められた）空気を取り込んで空調空気（冷房空気又は暖房空気）を生成することができる。そのため、冷房運転時には、冷房空気を効率よく生成することができ、暖房運転時には、暖房空気を効率よく生成することができる。したがって、ＬＤＫ１３を所望の温度まで冷やしたり暖めたりする時間（立ち上がり時間）を短縮化させることができるとともに、立ち上がり時間の短縮に伴って省エネ性向上を図ることもできる。よって、この場合にも、屋内空間の空調を好適に実施することができる。
【００７１】
それに対して、第１空調装置５４が運転中であってかつ第２空調装置５５の運転が停止している状況下において、すなわち第１空調装置５４による空調（冷房又は暖房）が実施されかつ第２空調装置５５による空調が実施されていない状況下において、第２空調装置５５の運転が開始される場合には、玄関ホール１９が冷暖房されていないため、上記のような効果が得られない。ただ、この場合には、第１空調装置５４よりＬＤＫ１３に供給された空調装置が玄関ホール１９を経由して第１機械室５１へと還流する空気の流れが生じているため、その還流する空気を通気部６４を通じて玄関ホール１９から第２機械室５２に取り込むことができる。この空気は、冷房時においては空調空気（冷房空気）と比べ高温ではあるものの還流の生じていない屋内空間（例えば和室１４等）の空気と比べれば低温であると考えられる。また、暖房時においては空調空気（暖房空気）と比べ低温ではあるものの還流の生じていない屋内空間（例えば和室１４等）の空気と比べれば高温であると考えられる。そのため、上記のような状況下で、第２空調装置５５の運転が開始された場合には、第２空調装置５５はかかる空気を取り込み空調空気を生成することで、冷房運転時には冷房空気を比較的効率よく生成することができ、暖房運転時には暖房空気を比較的効率よく生成することができる。したがって、和室１４、リビング１５、洗面室１６及び玄関ホール１９を比較的速やかに所望の温度まで冷やしたり暖めたりすることが可能となる。
【００７２】
また、本例の構成では、二世帯住宅において和室１４と洗面室１６とをいずれも親世帯用の第２空調システム（第２空調装置５５）による空調対象として設定した。親世帯は和室１４を居室空間として利用することが多く、また親世帯が高齢である場合には洗面室１６を利用する際のヒートショックの発生が懸念される。これらの点を鑑みると、かかる構成とすることで親世帯にとって好適な空調が実現できる。
【００７３】
なお、洗面室１６に代えて又は加えて浴室１７及びトイレ１８の少なくともいずれかを第２空調システムによる空調対象に含めてもよい。浴室１７やトイレ１８もヒートショックの生じ易い空間であるため、洗面室１６の場合と同様に高齢者のヒートショック対策の点で有効となる。また、住宅１０に、和室１４ではなく洋室（居室空間）が設けられている場合に、その洋室と洗面室１６とをいずれも親世帯用の第２空調システム（第２空調装置５５）による空調対象として設定してもよい。そうすれば、高齢者（親世帯）が洋室でベッドを利用して過ごす場合において好適な空調が実現できる。
【００７４】
なお、本例の構成とは逆に、玄関ホール１９を第１空調システム（第１空調装置５４）のみによる空調対象としてもよい。すなわち、第１空調システムによる空調対象をＬＤＫ１３及び玄関ホール１９とし、第２空調システムによる空調対象を和室１４、リビング１５、洗面室１６としてもよい。
【００７５】
（２）上記実施形態では、第１機械室５１と第２機械室５２とをいずれも玄関ホール１９すなわち同一の第３空間部に隣接させて配置したが、各機械室５１，５２をそれぞれ異なる第３空間部に隣接させて配置してもよい。図６（ａ）では、建物８０に、４つの部屋Ｓ１〜Ｓ４が設けられており、それら各部屋Ｓ１〜Ｓ４のうち部屋Ｓ１〜Ｓ３が第１空調装置５４による空調対象となっており、部屋Ｓ２〜Ｓ４が第２空調装置５５による空調対象となっている。つまり、この場合、部屋Ｓ１〜Ｓ３が第１空間部に相当し、部屋Ｓ２〜Ｓ４が第２空間部に相当し、部屋Ｓ２，Ｓ３が第３空間部に相当するものとなっている。そして、第１機械室５１が部屋Ｓ２に隣接して設けられており、部屋Ｓ２の空気を通気部７８を通じて第１機械室５１に取り込み可能となっている。また、第２機械室５２が部屋Ｓ３に隣接して設けられており、部屋Ｓ３の空気を通気部７９を通じて第２機械室５２に取り込み可能となっている。
【００７６】
かかる構成においても、第２空調装置５５が運転中であってかつ第１空調装置５４の運転が停止している状況下において、第１空調装置５４の運転が開始された場合には、部屋Ｓ２の冷えた（又は暖められた）空気が通気部７８を通じて第１機械室５１に取り込まれるため、第１空調装置５４は、その冷えた（又は暖められた）空気を取り込んで空調空気を生成することができる。一方、第１空調装置５４が運転中であってかつ第２空調装置５５の運転が停止している状況下において、第２空調装置５５の運転が開始された場合には、部屋Ｓ３の冷えた（又は暖められた）空気が通気部７９を通じて第２機械室５２に取り込まれるため、第２空調装置５５は、その冷えた（又は暖められた）空気を取り込んで空調空気を生成することができる。このため、かかる場合にも、屋内空間の空調を好適に実施することができる。
【００７７】
また、第１機械室５１と第２機械室５２とは必ずしも第３空間部に隣接させて配置する必要はない。図６（ｂ）では、部屋Ｓ１，Ｓ２が第１空調装置５４による空調対象となっており、部屋Ｓ３，Ｓ４が第２空調装置５５による空調対象となっている。すなわち、部屋Ｓ１，Ｓ２が第１空間部に相当し、部屋Ｓ３，Ｓ４が第２空間部に相当するものとなっている。そして、第１機械室５１が部屋Ｓ３に隣接して設けられ、部屋Ｓ３の空気を通気部８５を通じて第１機械室５１へ取り込み可能となっている。また、第２機械室５２が部屋Ｓ２に隣接して設けられ、部屋Ｓ２の空気を通気部８６を通じて第２機械室５２へ取り込み可能となっている。
【００７８】
かかる構成においても、第２空調装置５５が運転中であってかつ第１空調装置５４の運転が停止している状況下において、第１空調装置５４の運転が開始された場合には、部屋Ｓ３の冷えた（又は暖められた）空気が通気部８５を通じて第１機械室５１に取り込まれるため、第１空調装置５４は、その冷えた（又は暖められた）空気を取り込んで空調空気を生成することができる。一方、第１空調装置５４が運転中であってかつ第２空調装置５５の運転が停止している状況下において、第２空調装置５５の運転が開始された場合には、部屋Ｓ２の冷えた（又は暖められた）空気が通気部８６を通じて第２機械室５２に取り込まれることになるため、第２空調装置５５は、その冷えた（又は暖められた）空気を取り込んで空調空気を生成することができる。このため、かかる場合にも、屋内空間の空調を好適に実施することができる。
【００７９】
（３）上記実施形態では、非居室空間としての玄関ホール１９を、各空調装置５４，５５により空調空気が供給される第３空間部に設定したが、その他の非居室空間を第３空間部に設定してもよい。例えば、水廻り空間としての洗面室１６を第３空間部に設定することが考えられる。そうすれば、各空調装置５４，５５のうちいずれかが運転していれば、洗面室１６が冷暖房されるため、洗面室１６においてヒートショックが発生するのを抑制することができる。また、浴室１７やトイレ１８等その他の水廻り空間を第３空間部に設定してもよい。その場合にも、ヒートショックの発生を抑制する効果が得られる。
【００８０】
また、ＬＤＫ１３や和室１４等の居室空間を第３空間部に設定してもよい。
【００８１】
（４）上記実施形態の空調システムは２つの空調装置５４，５５を備えて構成されたものであったが、３つ以上の空調装置を備えて構成してもよい。例えば、三世帯住宅からなる建物において、３つの空調装置Ｋ１，Ｋ２，Ｋ３を備える空調システムを設けることが考えられる。この場合、例えば３つの空調装置Ｋ１，Ｋ２，Ｋ３により空調空気が供給される屋内空間を設定し、その屋内空間に対して各空調装置Ｋ１，Ｋ２，Ｋ３の機械室をそれぞれ隣接させて配置するとともに、その屋内空間の空気をそれら各機械室へ取り込み可能に構成することが考えられる。かかる構成とすれば、各空調装置Ｋ１，Ｋ２，Ｋ３のうちいずれかの運転を開始させる場合に、他の空調装置のうちいずれかが運転されていれば屋内空間の冷えた又は暖められた空気を機械室に取り込むことができるため、その空気をもとに空調空気を効率よく生成することができる。したがって、かかる場合においても好適な空調を実現することができる。
【００８２】
（５）上記実施形態では、住宅１０の一階部分に本発明の空調システムを適用したが、二階部分に本発明を適用してもよい。また、上記実施形態では、二世帯住宅からなる建物に本発明を適用したが、単世帯住宅からなる建物に適用してもよい。
【符号の説明】
【００８３】
１０…建物としての住宅、１３…第１空間部としてのＬＤＫ、１４…第２空間部としての和室、１５…第２空間部としてのリビング、１６…第２空間部としての洗面室、１９…非居室空間及び第１空間部、第２空間部、第３空間部としての玄関ホール、５１…第１機械室、５２…第２機械室、５４…第１空調装置、５５…第２空調装置、６３…第１通気部としての通気部、６４…第２通気部としての通気部。
【図１】
2014190666.tif 000003
【図２】
2014190666.tif 000004
【図３】
2014190666.tif 000005
【図４】
2014190666.tif 000006
【図５】
2014190666.tif 000007
【図６】
2014190666.tif 000008